(57)【要約】【課題】顔と背景とが混在するシーンにおいて、適切な露出制御を行うことが困難であるという課題があった。【解決手段】露出制御装置は、被写体を撮像した映像信号における顔位置を検出する顔位置判定手段１０６と、撮像画面を複数の測光領域に分割し、顔位置判定手段１０６で検出した顔位置を含む測光領域における第１の輝度情報と、顔位置を含む測光領域に隣接し顔位置を含まない測光領域における第２の輝度情報とを取得する輝度情報取得手段１０５と、第１の輝度情報と第２の輝度情報との差分を算出する輝度差分除去手段１１０と、輝度差分除去手段１１０の出力を基に、露光制御値を算出する収束位置算出手段１１１と、露光制御値を用いて、撮像手段における露光量を制御する露光制御手段１１２とを備える。【選択図】図１
2009164677.tif 000002
【特許請求の範囲】
【請求項１】
被写体を撮像する撮像手段と、
前記撮像手段の出力信号から映像信号を生成する信号処理手段と、
前記映像信号における顔位置を検出する顔位置判定手段と、
前記顔位置における輝度情報を検出する顔輝度検出手段と、
前記顔輝度検出手段の出力と撮像画面全体の平均輝度情報とを基に、露光制御値を算出する収束位置算出手段と、
前記露光制御値を用いて、前記撮像手段における露光量を制御する露光制御手段と、
を備えた露出制御装置。
【請求項２】
前記顔位置における輝度情報と前記撮像画面全体の平均輝度情報とを、同時に求める請求項１に記載の露出制御装置。
【請求項３】
前記顔輝度検出手段は、
撮像画面を複数の測光領域に分割し、前記顔位置判定手段で検出した顔位置を含む測光領域における第１の輝度情報と、前記顔位置を含む測光領域に隣接し顔位置を含まない測光領域における第２の輝度情報とを取得する輝度情報取得手段と、
前記第１の輝度情報と前記第２の輝度情報との差分を基に、顔のみの輝度情報を算出する輝度差分除去手段と、
を備えた請求項２に記載の露出制御装置。
【請求項４】
前記輝度情報取得手段は、前記測光領域における、顔位置と顔位置以外との割合が、所定の値を超えるものを第１の輝度情報として取得する請求項３に記載の露出制御装置。
【請求項５】
被写体を撮像する撮像手段と、前記撮像手段の出力信号から映像信号を生成する信号処理手段とを備えた撮像装置における露出制御方法であって、
前記映像信号における顔位置を検出する顔位置判定ステップと、
前記顔位置における輝度情報を検出する顔輝度検出ステップと、
前記顔輝度検出ステップの出力と撮像画面全体の平均輝度情報とを基に、露光制御値を算出する収束位置算出ステップと、
前記露光制御値を用いて、前記撮像手段における露光量を制御する露光制御ステップと、
を含む露出制御方法。
【発明の詳細な説明】
【技術分野】
【０００１】
本発明は、撮像装置において、映像信号を基に露出制御を行う露出制御装置に関し、特に顔の撮像に適した露出制御装置に関する。
【背景技術】
【０００２】
デジタルビデオカメラやデジタルスチルカメラなど撮像装置においては、被写体に応じた最適な自動露出制御を行うことで、より美しい撮像を可能とする提案が種々なされている。
【０００３】
特許文献１では、被写体を撮像する事により得られる被写体像を元に顔検出処理を行い、顔画像部分とされる位置を含むＡＥ領域より得られる輝度情報に基づいて、露出制御を行い、顔画像部分の明るさを適正にした被写体像を取得する技術が開示されている。
【０００４】
顔画像部分に対する露出制御においては、顔画像部分の明るさと背景などのその他の部分（以下、背景部分）の明るさとを適正にすることを目的に、背景部分の取得については顔画像部分を元に推測した胴体部分を用いたり（特許文献２）、顔画像部分を含めたヒストグラムによる周辺との輝度差分を利用した露出制御装置（特許文献３）が提案されている。
【特許文献１】特開２００７−２２８２０１号公報
【特許文献２】特開２００７−１８０６２９号公報
【特許文献３】特開２００７−２０１９７９号公報
【発明の開示】
【発明が解決しようとする課題】
【０００５】
しかしながら、上記従来の露出制御装置では、露出制御を行う基準の輝度情報の中に顔と背景とがどの程度含まれているか、顔の持つ輝度と背景部分の持つ輝度との差分がどの程度あるかが不明であり、被写体像の環境が判断できない事から、その状態で露出制御を行うと適正な露出制御が行えないという課題があった。
【課題を解決するための手段】
【０００６】
本発明の露出制御装置は、被写体を撮像する撮像手段と、前記撮像手段の出力信号から映像信号を生成する信号処理手段と、前記映像信号における顔位置を検出する顔位置判定手段と、前記顔位置を含む領域における映像信号の第１の輝度情報と、前記顔位置に隣接した周辺領域における映像信号の第２の輝度情報とを取得する輝度情報取得手段と、前記第１の輝度情報と前記第２の輝度情報との差分を算出する輝度差分除去手段と、前記輝度差分除去手段の出力を基に、露光制御値を算出する収束位置算出手段と、前記露光制御値を用いて、前記撮像手段における露光量を制御する露光制御手段と、を備えたものである。
【発明の効果】
【０００７】
本発明による露出制御装置によれば、背景の混在した顔の輝度データから、背景の輝度データを除去する事で、顔のみの輝度データを取得できる。これにより顔と背景の両方の輝度を適切とする露出制御を行う上で必要な、顔と背景それぞれの輝度データを取得する事が出来るようになり、顔と背景の輝度差の違いや顔の大きさなどの被写体条件によることなく、常に適切な露出制御が行うことができる。
【発明を実施するための最良の形態】
【０００８】
（実施の形態１）
以下、図面を参照して本発明の実施の形態１について説明する。図１は本発明に係る露出制御装置を適用したカメラについて、その基本的な構成を示すブロック図である。１０１はレンズユニット、１０２は指定された制御値に従って露出を変化させる絞り、１０３はレンズユニット１０１より入射した撮像データを受光する映像素子である。１０４は指定された制御値に従って撮像素子１０３で得られた撮像データに対し感度調節を行うＡＦＥで、１０５はＡＦＥ１０４で感度調節の行われた撮像データを取得するための輝度情報取得手段で、１０６はＡＦＥ１０４で感度調節の行われた撮像データの中に人の顔があるかどうかを判定するための顔位置判定手段である。１０７は顔位置判定手段１０６にて判定された顔の情報より、撮像データのどの部分に顔の情報があるかを算出する顔情報算出手段であり、１０８は顔情報算出手段１０７にて得られた撮像データに対する顔の位置と顔の大きさを元に、撮像データにおける顔の位置と、顔周辺部分の位置を算出をする補正方法算出手段である。１０９は補正方法算出手段１０８より得られる撮像データのどこに顔の情報があるかの位置情報より、輝度情報取得手段より得られる被写体の輝度データの中から顔の輝度データと、顔と背景が混じった輝度データと、顔を含まない背景のみの輝度データとを分類する輝度情報選択手段であり、１１０は輝度情報選択手段にて分類された顔と背景が混じった輝度データより背景の輝度データの輝度情報を除去する輝度差分除去手段であり、１１１は輝度差分除去手段１１０より得られる顔の輝度データと背景の輝度データを元に、撮像データ全体が適正な露光になるように露出制御値を算出する収束位置算出手段である。１１２は収束位置算出手段１１１で得られる露出制御値を元に露出制御を行う絞り１０２やＡＦＥ１０４や後述するＴＧ１１３へそれぞれの制御値を指示する露出制御手段であり、１１３は露出制御手段１１２より指定された制御値に従い、撮像素子１０３で行われる被写体の受光時間を設定するＴＧであり、１１４はＴＧ１１３にて設定された受光時間に従い、撮像素子１０３で行われる撮像データの受光量を調節する電子シャッタである。
【０００９】
図２を用いて輝度情報取得手段１０５における映像データの取得方法について説明する。ＡＦＥ１０４にて感度調節が行われた撮像データは、そのまま受光しようとすると撮像素子１０３が持つ解像度の数だけ映像データの取得処理を行う必要がある。そこで撮像データを縦と横それぞれ複数のブロックに分割し、そのブロックごとに映像データを取得する事で取得処理の最適化を行っている。この時、縦と横の複数のブロックをまとめた物を全体ＢＭ枠２０１とし、分割したブロック一つ一つをＢＭ枠２０２とする。また、全体ＢＭ枠２０１の縦と横のそれぞれの数は任意である。
【００１０】
図３を用いて輝度情報選択手段１０９における輝度データの分類方法について説明する。
補正方法算出手段１０８より得られる顔の位置情報は資格の形で表すことが出来、これはＢＭ枠２０１に対して、顔がどの位置にどの位の大きさで顔が存在するかを表す事が出来る。これを顔の枠（３０１）とする。輝度情報取得手段１０５にて設定されている全体ＢＭ枠２０１と顔の枠（３０１）を重ね合わせる事で、顔の枠３０１とＢＭ枠２０２の位置関係を三つに分けることが出来る。３０２は顔の枠３０１がＢＭ枠２０２に対してある程度重なっているＢＭ枠であり、３０３は顔の枠３０１がＢＭ枠２０２にまったく重なっていないＢＭ枠であり、３０４は顔の枠３０１がＢＭ枠２０２に対して全て重なっているＢＭ枠を示す。
【００１１】
前述した図１の各ブロックの説明と図１のブロック図を元に、本発明における実施の形態１を説明する。
【００１２】
映像を撮像する際に、レンズユニット１０１から入射した被写体は、絞り１０２を通して電子シャッタ１１４による受光量を調節された後に撮像素子１０３にて受光される。受光データはＡＦＥ１０４による感度調節を経て、映像データとして顔位置判定手段１０６と輝度情報取得手段１０５に出力される。
【００１３】
輝度情報取得手段１０５においては前述した図２に示すようにＢＭ枠２０１ごとに撮像データを分割して取得し、ＢＭ枠２０１ごとの輝度データを提供できるようにする。
【００１４】
顔位置判定手段１０６では、顔の特徴（目、鼻、口などの陰影や輪郭など）を満たしている映像を映像データの中から検索し、顔と判定した場合には、顔の位置と、顔の大きさの情報を決定する。この時、顔は人により異なった輪郭を持っているが、ここで決定される顔の情報は前述した図３に示すように、顔を四角形に見立てた顔の枠３０１となる。
【００１５】
顔情報算出手段１０７においては、顔位置判定手段１０６から得られる顔の位置と大きさの情報を元に、撮像データに対して配置されている全体ＢＭ枠２０１のどの位置に顔が存在するかの判定を行い、ＢＭ枠２０２ごとに顔が存在するかの存在情報（以下、顔存在情報）と顔の面積が占める割合情報（以下、顔割合情報）と、ＢＭ枠２０２内のどの位置に顔の情報があるかの位置情報（以下、顔位置情報）を算出する。
【００１６】
補正方法算出手段１０８では、顔の枠３０１と位置が重なるＢＭ枠２０２の輝度情報を取得するよう、輝度情報取得手段１０５に設定する。また、ＢＭ枠３０１に対する顔位置情報を元に、顔の映像データを含まず、顔の位置に一番近いＢＭ枠３０３の位置を算出し、そのＢＭ枠３０３を背景として輝度情報を取得するよう輝度情報取得手段１０５に設定する。この時、輝度情報取得手段１０５にてあらかじめＢＭ枠２０１毎に輝度データを取得しておく事で、補正方法算出手段１０８において輝度情報取得手段１０５へ輝度情報を取得する設定を省く事ができる。
【００１７】
輝度情報選択手段１０９では、輝度情報取得手段１０５にて取得されたＢＭ枠２０２毎の輝度データの中で、顔と背景が混在しているＢＭ枠３０２の輝度データと背景のみのＢＭ枠３０３の輝度データを取得する。また、顔と背景が混在しているＢＭ枠３０２の輝度データについては、顔割合情報の値があらかじめ定められた値を超えている場合に限り、顔の画像データが含まれているものとし、顔の輝度データとして取得する。
【００１８】
輝度差分除去手段１１０では、補正方法算出手段１０８にて算出された顔が含まれた輝度データと背景の輝度データとの差分を算出する事で、顔のみとされる輝度データを作り出す。これらの処理を顔が含まれているＢＭ枠の個数分行い、取得できた輝度データの平均値を最終的な顔の輝度データとする。また、全てのＢＭ枠の輝度データの平均値を全画面の輝度データとする。
【００１９】
収束位置算出手段１１１においては、輝度差分除去手段１１０で得られた顔の輝度データと全画面の輝度データを元に、露光調節を行うための制御値を算出する。この時、顔の輝度データのみを参照して収束位置を算出した場合、顔に対しては適正な露光制御が行えるが、被写体の環境によっては最終的に得られる被写体の輝度が適正ではなくなってしまうため、全画面の輝度データが映像データとして問題の無い明るさになるように、露光制御量を制限する。
【００２０】
露出制御手段１１２では収束位置算出手段１１１にて算出された露光制御量に従い、絞り１０２やＡＦＥ１０４、電子シャッタ１１４の制御を行うＴＧ１１３に対して制御値を出力する事で全体的に適正な明るさとなるようにする。
【００２１】
図４は本発明の露出制御装置について、レンズより映像データを取得した後に、補正方法算出手段１０８、輝度情報選択手段１０９、輝度差分除去手段１１０、収束位置算出手段１１１および露出制御手段１１２で行われる処理手順を示すフローチャートである。
【００２２】
顔検出を行う条件が整っている場合（ステップ４０１でＹＥＳ）は、入力された映像データの中に顔が含まれているかどうかの検出動作が行われる（ステップ４０２）。顔検出を行う条件が整っていない場合（ステップ４０１でＮＯ）は被写体に顔がある事を考慮しない露出制御（通常ＡＥ）が行われる（ステップ４０６）。
【００２３】
顔の検出動作の結果、映像データ内に顔が存在する場合（ステップ４０３でＹＥＳ）は顔に対する露出制御（顔検出ＡＥ）を行うための顔の位置情報や大きさの情報を取得し（ステップ４０４）、顔と背景を考慮した顔検出ＡＥが行われる（ステップ４０５）。
【００２４】
顔の検出動作の結果、映像データ内に顔が含まれていないと判定された場合（ステップ４０３でＮＯ）は顔の情報を参照しない通常ＡＥの制御（ステップ４０６）を行う。
【００２５】
顔検出ＡＥ（ステップ４０５）または通常ＡＥ（ステップ４０６）によって算出された露光制御量により、絞り１０２、電子シャッタ及びＡＦＥ１０４の制御値が確定され、被写体に対する露出制御が行われる。
【００２６】
図５は顔が検出された際に、顔に関係する情報の取得（図４のステップ４０４）について更に詳細にしたフローチャートである。
【００２７】
映像データ内に顔情報があった場合に行われる顔検出ＡＥの制御では、まず顔に関係する情報（ステップ４０４）を元に全体ＢＭ枠２０１の何処に顔が該当するかを判定し、顔位置判定手段１０６で得られた顔の情報をＢＭ枠２０２に対する位置情報に変換する（ステップ５０１）。
【００２８】
ステップ５０１で取得できる顔の位置情報を元に、ＢＭ枠２０２の一つずつを参照し、それぞれのＢＭ枠２０２毎に顔の情報が含まれていれば次の処理へ進み（ステップ５０２でＹＥＳ）、顔の情報が含まれて居なければ次のＢＭ枠を参照する（ステップ５０２でＮＯ）処理を全てのＢＭ枠に対して行い、顔のみの情報が含まれたＢＭ枠３０４と、顔の情報とそれ以外の情報（背景など）が含まれたＢＭ枠３０２と顔の情報の直ぐ近くにあり、かつ顔の情報がまったく含まれていないＢＭ枠３０３に分類を行う。
【００２９】
顔の情報が含まれたＢＭ枠３０２に対しては顔の情報がＢＭ枠のどのくらいの割合を占めるかを確認し、その値が任意の値以上であれば顔の情報が有効であると判定する（ステップ５０３でＹＥＳ）。顔の情報がＢＭ枠に対し任意の値以下である場合は、顔の情報よりもそれ以外の情報（背景など、顔でない部分）が及ぼす影響が大きいため、そのＢＭ枠に対する処理は行わず、次のＢＭ枠の参照を行う（ステップ５０３でＮＯ）。
【００３０】
顔の情報が有効とされたＢＭ枠のうち、ＢＭ枠３０２のように顔の輝度情報と背景の輝度情報が混在している場合は背景の輝度情報を除去するために背景のみの輝度情報を取得する処理へ進む（ステップ５０４でＮＯ）。ＢＭ枠３０４のようにＢＭ枠に対し顔の輝度情報が全てを満たしている場合にはＢＭ枠の持つ輝度情報が全て顔となるため、背景データは必要なく、露出制御処理（ステップ５０８）へ進む（ステップ５０４でＹＥＳ）
顔と背景の輝度情報が混在しているＢＭ枠３０２において、顔が存在する位置はステップ５０１で取得できている。顔の情報がある側の隣のＢＭ枠は引き続き顔の情報が存在しているので顔の情報がある側の反対側のＢＭ枠３０３を背景として輝度データを取得する（ステップ５０５）。
【００３１】
ＢＭ枠３０２の輝度データとステップ５０５で得られた背景の輝度データの差分はＢＭ枠３０２に顔の輝度データが存在するために発生する差分に相当するため、差分値をＢＭ枠３０２の輝度データから除算する事で顔のみの輝度データを取得する（ステップ５０７）。
【００３２】
ステップ５０２の分岐よりステップ５０７の輝度データ取得までをＢＭ枠一つずつについて行い、算出されたＢＭ枠ごとの輝度データを平均した値を顔の輝度データとする。
【００３３】
顔の輝度データに対してのみ露出制御量を算出すると、顔以外の被写体の輝度が適正にならない為、顔の情報に寄らない全てのＢＭ枠の輝度データの平均値と顔の輝度データ値がそれぞれ適正な値になるように露出制御量の算出を行う（ステップ５０８）
以上のように、本実施の形態によれば、背景の混在した顔の輝度データから、背景の輝度データを除去し、顔のみの輝度データを取得することによって、顔と背景との輝度差の違いや顔の大きさなどの被写体条件によることなく、常に適切な露出制御が行うことができる。
【００３４】
（実施の形態２）
本発明の実施の形態２について以下に説明する。実施の形態１の輝度情報取得手段１０５において、映像データ全体に対し全体ＢＭ枠２０１を配置する事で映像データを取得していたが、実施の形態２では補正方法算出手段１０８により得られる顔の位置情報を元に顔を中心に全体ＢＭ枠を配置する事で、より詳細な顔の映像データを取得できるようになる。
【００３５】
また、顔を中心に全体ＢＭ枠を配置したままだと、全体の映像データが取得できなくなるため、任意の間隔をおいて全体ＢＭ枠を配置しなおす事で顔と全体の映像データの両方を取得できるようにする。
【００３６】
図６は本発明の実施の形態２における全体ＢＭ枠の遷移について説明した物で、６０１は特定の被写体（本発明の場合）、顔を中心に配置された全体ＢＭ枠である。映像データに配置された全体ＢＭ枠２０１と顔に配置された全体ＢＭ枠６０１の状態は任意のタイミングで切り替える事ができるものとする。
【００３７】
図７は本発明の実施の形態２における映像データ取得について説明したブロック図である。７０１は顔情報算出手段１０７より得られる映像データに対する顔の位置と大きさより、顔のデータのみを収集できるような全体ＢＭ枠６０１を配置する場所を算出する補正手段であり、７０２は補正方法算出手段７０１より得られる全体ＢＭ枠６０１の情報に基づいて任意の場所に全体ＢＭ枠６０１を配置し、輝度情報を取得する輝度情報取得手段である。
【００３８】
図８のフローチャートは実施の形態２における顔の輝度情報の取得処理について記述した物である。前述した実施の形態１では、同様に前述した図５のフローチャートにあるとおり、全体ＢＭ枠２０１の何処に顔が該当するかを判定した後にＢＭ枠２０２ごとに顔の位置情報を算出し（ステップ５０１）、ＢＭ枠２０２ごとに顔の情報が含まれているかの判定を行い（ステップ５０２）、ＢＭ枠２０２における顔の情報の割合が任意の値よりも大きなＢＭ枠の輝度情報のみを顔の輝度情報としていた上で（ステップ５０３）、ＢＭ枠２０２に対して顔のみの情報で満たされている場合は不要な処理を回避していた（ステップ５０４）。また、顔の情報のある側の反対側のＢＭ枠３０３を背景データとして取得していた（ステップ５０５）。更に顔と背景の輝度が混在したＢＭ枠３０２が存在しているため、背景の輝度情報を用いた背景情報除去処理（ステップ５０６）を行い、顔のみの輝度情報作成処理を行っていた（ステップ５０７）。
【００３９】
本発明の実施の形態２においては、上記のステップ５０１からステップ５０６が不要となる。補正方法算出手段７０１より得られる全体ＢＭ枠の配置状態が映像データ全体に配置された全体ＢＭ枠２０１か、顔にのみは位置された全体ＢＭ枠６０１なのかを判定し（ステップ８０１）、全体ＢＭ枠２０１の配置状態ならば（ステップ８０１でＮＯ）、映像データ全体の輝度データを取得する処理を行い（ステップ８０２）、配置状態が全体ＢＭ枠６０１の配置状態ならば（ステップ８０１でＹＥＳ）、ＢＭ枠２０２は全て顔のみの情報となっているＢＭ枠３０４として顔の輝度データの取得する処理を行う（ステップ５０７）。取得された顔と全体の輝度情報に対して行う露出制御においては実施の形態１と同じである。
【００４０】
以上のように、本実施の形態によれば、顔の位置情報を元に顔を中心に全体ＢＭ枠を配置する事で、より精度の良い顔のみの輝度データを取得することができ、顔と背景との輝度差の違いや顔の大きさなどの被写体条件によることなく、常に適切な露出制御が行うことができる。
【００４１】
（実施の形態３）
本発明の実施の形態３について以下に説明する。実施の形態２においては前述の図６の説明にあるとおり、全体ＢＭ枠２０１と全体ＢＭ枠６０１を任意のタイミングで切り替える事により映像データ全体の輝度データと顔の輝度データの両方を取得していた。そのため、全体ＢＭ枠２０１を設定している時には顔の輝度データが取得できず、全体ＢＭ枠６０１を設定している時は映像データ全体の輝度データが取得できないため、最終的な映像データの取得に遅れが発生してしまい、最終的に行う露出制御が適正とならない恐れがある。
【００４２】
本発明の実施の形態３では映像データ全体に対して設定された全体ＢＭ枠と顔のみに設定された全体ＢＭ枠を同時に設定する事で映像データの取得の遅れを解消すると共に、正確な顔の輝度情報の取得を行えるようにするものである。
【００４３】
図９は本発明の実施の形態３における全体ＢＭ枠の遷移について説明した物で、９０１は特定の被写体（本発明の場合、顔）を中心に配置された全体ＢＭ枠である。映像データに配置された全体ＢＭ枠２０１と顔に配置された全体ＢＭ枠９０１は同時に配置できるものとする。
【００４４】
図１０は本発明の実施の形態３における映像データ取得について説明したブロック図である。１００１は顔情報算出手段１０７より得られる映像データに対する顔の位置と大きさより、顔のデータのみを収集できるような全体ＢＭ枠９０１を配置する場所を算出する補正手段であり、１００２はＢＭ枠２０１より得られる映像データ全体の輝度情報を取得すると共に、補正方法算出手段１００１より得られる全体ＢＭ枠９０１の情報に基づいて任意の場所に全体ＢＭ枠９０１を配置して、顔のみの輝度情報を取得する輝度情報取得手段である。
【００４５】
図１１のフローチャートは実施の形態３における顔の輝度情報の取得処理について記述した物である。前述した実施の形態２では、同様に前述した図８のフローチャートにあるとおり、現在の全体ＢＭ枠の状態が全体ＢＭ枠２０１と全体ＢＭ枠６０１のどちらかであるかを判定し（ステップ８０１）、全体ＢＭ枠２０１の状態ならば映像データ全体の輝度データの取得を行い、全体ＢＭ枠６０１の状態ならば顔の輝度データの取得を行っていた。  本発明の実施の形態３においては上記のステップ８０１が不要となる。輝度情報取得手段１００２より顔のみに配置された全体ＢＭ枠９０１より取得できる映像データは全て顔の輝度データとして取得し（ステップ１１０１）、 映像データ全体に配置された全体ＢＭ枠２０１より背景の輝度データを取得する（ステップ１１０２）。取得された顔と背景の輝度情報に対して行う露出制御においては実施の形態１と同じである。
【００４６】
以上のように、本実施の形態によれば、映像データ全体に対して設定された全体ＢＭ枠と顔のみに設定された全体ＢＭ枠を同時に設定する事で映像データの取得の遅れを解消すると共に、正確な顔の輝度情報の取得を行うことができ、顔と背景との輝度差の違いや顔の大きさなどの被写体条件によることなく、常に適切な露出制御が行うことができる。
【産業上の利用可能性】
【００４７】
本発明にかかる露出制御装置によれば、背景の混在した顔の輝度データから背景の輝度データを除去する事で、顔と背景それぞれの輝度データを取得する事ができ、顔と背景の輝度差の違いや顔の大きさなどの被写体条件によることなく、常に適切な露出制御が行えるものであり、デジタルビデオカメラやデジタルスチルカメラなど撮像装置において有用である。
【図面の簡単な説明】
【００４８】
【図１】本発明の実施の形態１における全体回路ブロック図
【図２】本発明の実施の形態１における映像データの取得処理構造を表す図
【図３】本発明の実施の形態１における顔検出情報の形態とＢＭ枠の分類構造を表す図
【図４】本発明の実施の形態１における顔検出ＡＥの処理を示すフローチャート
【図５】本発明の実施の形態１における主要部分に係るフローチャート
【図６】本発明の実施の形態２における映像データの取得処理構造を表す図
【図７】本発明の実施の形態２における全体回路ブロック図
【図８】本発明の実施の形態２における主要部分に係るフローチャート
【図９】本発明の実施の形態３における映像データの取得処理構造を表す図
【図１０】本発明の実施の形態３における全体回路ブロック図
【図１１】本発明の実施の形態３における主要部分に係るフローチャート
【符号の説明】
【００４９】
１０１    レンズ部
１０２    絞り
１０３    撮像素子
１０４    ＡＦＥ
１０５    輝度情報取得手段
１０６    顔位置判定手段
１０７    顔情報算出手段
１０８    補正方法算出手段
１０９    輝度情報選択手段
１１０    輝度差分除去手段
１１１    収束位置算出手段
１１２    露出制御手段
１１３    電子シャッタ制御部
２０１    輝度情報取得枠（全体ＢＭ枠）
２０２    輝度情報取得単位枠（ＢＭ枠）
３０１    顔検出枠
３０２    顔と背景が混在したＢＭ枠
３０３    顔のみのＢＭ枠
３０４    顔に対して直近の背景のみのＢＭ枠
６０１    顔のみに配置された輝度情報取得枠（全体ＢＭ枠）
７０１    輝度情報取得枠の配置を算出する補正方法算出手段
７０２    指定された位置に対して輝度情報取得枠の配置を行う輝度情報取得手段
９０１    顔のみに配置された輝度情報取得枠（全体ＢＭ枠）
１００１    補正方法算出手段
１００２    複数の輝度情報取得枠に対して輝度情報の取得を行う輝度情報取得手段
【図１】
2009164677.tif 000003
【図２】
2009164677.tif 000004
【図３】
2009164677.tif 000005
【図４】
2009164677.tif 000006
【図５】
2009164677.tif 000007
【図６】
2009164677.tif 000008
【図７】
2009164677.tif 000009
【図８】
2009164677.tif 000010
【図９】
2009164677.tif 000011
【図１０】
2009164677.tif 000012
【図１１】
2009164677.tif 000013